(57)【要約】【課題】  塩化ビニルまたはポリエステル素材からなる傘生地に印刷することにより、反射素材が傘の開閉や摩擦などによって剥離することを防止するとともに、カラフルでデザイン性および耐久性に富んだ反射傘を提供する。【解決手段】  塩化ビニルまたはポリエステルからなる傘生地に印刷層を形成してなる反射傘であって、前記印刷層は、任意の色彩からなるカラーインク層と、該カラーインク層を剥離不能に定着する硬化剤および／または定着剤からなる定着層と、反射素材を混合した塗料からなる反射層と、からなり、前記三層からなる印刷層を、傘生地の表面にシルク印刷を用いた積層印刷により形成した構成である。【選択図】  図２
2018061717.tif 000002
【特許請求の範囲】
【請求項１】
塩化ビニルまたはポリエステルからなる傘生地(10)に印刷層(100)を形成してなる反射傘(1)において、
前記印刷層(100)は、任意の色彩からなるカラーインク層(110)と、該カラーインク層(110)を剥離不能に定着する硬化剤(122)および／または定着剤(124a)からなる定着層(120a)と、反射素材(132)を混合した塗料からなる反射層(130)と、からなり、
前記三層からなる印刷層(100)を、傘生地(10)の表面にシルク印刷を用いた積層印刷により形成したことを特徴とする反射傘。
【請求項２】
前記定着剤(124a)は、鉱油、乾性油、アルキド樹脂、ロジン樹脂および炭化水素樹脂を混成した溶剤からなることを特徴とする請求項１記載の反射傘。
【請求項３】
塩化ビニルまたはポリエステルからなる傘生地(10)に印刷層(100)を形成してなる反射傘(1)において、
前記印刷層(100)は、前記傘生地に剥離不能に定着する硬化剤(122)および／または定着剤(124b)からなる定着層(120b)と、反射素材(132)を混合した塗料からなる反射層(130)と、からなり、
前記定着剤(124b)は、任意の色彩からなるカラーインク（顔料）、鉱油、乾性油、アルキド樹脂、ロジン樹脂および炭化水素樹脂を混成した溶剤からなるものであり、
前記二層からなる印刷層(100)を、傘生地(10)の表面にシルク印刷を用いた積層印刷により形成したことを特徴とする反射傘。
【請求項４】
前記反射素材(132)は、ガラスビーズからなることを特徴とする請求項１または請求項３記載の反射傘。
【請求項５】
前記硬化剤(122)は、合成樹脂からなることを特徴とする請求項１または請求項３記載の反射傘。
【請求項６】
前記合成樹脂は、ポリエチレン樹脂またはＥＶＡ樹脂からなることを特徴とする請求項５記載の反射傘。
【発明の詳細な説明】
【技術分野】
【０００１】
本発明は、反射素材を傘生地の表層に印刷形成した傘に関し、特に、塩化ビニルまたはポリエステル素材からなる傘生地の表面に印刷した反射素材が、傘の開閉や摩擦・風雨等によって剥離することを防止するとともに、カラフルでデザイン性に富んだ耐久性のある反射傘に関する。
【背景技術】
【０００２】
従来より、傘生地に様々な印刷を施した傘が数多く製造されており、様々なデザインの傘が存在している。傘生地にデザイン性のある印刷を施すことにより、雨天時のおしゃれを演出することが可能となるため、傘生地の印刷は、傘を購入する際の重要な要素となっている。
【０００３】
一方で、雨天時は、視界が悪くなるのが通常であり、特に夕方や夜間になると、電車・自動車等から歩行者が見えにくくなるという実情がある。雨天時の夜に暗い色の単色からなる傘を差している場合、ドライバーからは歩行者がより見えづらくなるため、人身事故の危険性が生ずるという問題点が従来からあった。
【０００４】
この危険性を緩和する為、傘に光を反射する素材を印刷乃至塗布することが行われていた。これにより、光の反射板の役割を果たすことになり、傘を差した歩行者の存在をドライバーが認識しやすくなるため、雨天時夜間の人身事故を減少回避する効果を期待することが実現可能となると考えられる。
【０００５】
このような傘に関する技術として、特開２００７−１５１６５６号が存在する。ここでは、反射テープを各親骨に沿うように傘布に帯状に付設するとともに、反射テープが、傘布の外側・内側の両側に中心から各露先に向かうように放射状に設けられる構造が開示されている。これにより、遠方からでも傘をさしている事を瞬時に認識できるため、簡易な構成で傘を差す人の存在を瞬時に認識できるとともに、反射テープによって補強されるため、耐久性のある傘を提供することが可能となる技術が開示されている。
【０００６】
この技術によれば、確かに雨天時の夜間であっても傘を差した人を容易に認識することが可能となると考えられるが、傘布に反射テープを貼付する構造であるため、反射テープの接着方法によっては降雨によって剥離する可能性が充分に考えられるという問題点があった。また、反射テープを傘の骨に沿って貼付する構造であるため、デザイン的に優れているという事は出来ず、デザインの種類も限定されるため、おしゃれで安全な傘を提供するには充分ではないという問題点があった。
【０００７】
そこで、デザイン性に優れる傘を提供できるとともに、傘に印刷乃至塗布した反射素材が剥離することのない耐久性のある反射機能を備えた傘の開発が待たれていた。
【特許文献１】特開２００７−１５１６５６号公報
【発明の開示】
【発明が解決しようとする課題】
【０００８】
本発明は、上記問題を解決するため、反射素材を傘生地に印刷により貼着した傘であって、塩化ビニルまたはポリエステル素材からなる傘生地に印刷することにより、反射素材が傘の開閉や摩擦などによって剥離することを防止するとともに、カラフルでデザイン性および耐久性に富んだ反射傘を提供する。
【課題を解決するための手段】
【０００９】
上記の目的を達成するために本発明に係る反射傘は、塩化ビニルまたはポリエステルからなる傘生地に印刷層を形成してなる反射傘であって、前記印刷層は、任意の色彩からなるカラーインク層と、該カラーインク層を剥離不能に定着する硬化剤および／または定着剤からなる定着層と、反射素材を混合した塗料からなる反射層と、からなり、前記三層からなる印刷層を、傘生地の表面にシルク印刷を用いた積層印刷により形成した構成である。
また、前記定着剤は、鉱油、乾性油、アルキド樹脂、ロジン樹脂および炭化水素樹脂を混成した溶剤からなる構成である。
【００１０】
また、本発明に係る反射傘は、塩化ビニルまたはポリエステルからなる傘生地に印刷層を形成してなる反射傘であって、前記印刷層は、前記傘生地に剥離不能に定着する硬化剤および／または定着剤からなる定着層と、反射素材を混合した塗料からなる反射層と、からなり、前記定着剤は、任意の色彩からなるカラーインク（顔料）、鉱油、乾性油、アルキド樹脂、ロジン樹脂および炭化水素樹脂を混成した溶剤からなるものであり、前記二層からなる印刷層を、傘生地の表面にシルク印刷を用いた積層印刷により形成した構成でもある。
【００１１】
また、前記反射素材は、ガラスビーズからなる構成とするものである。
また、前記硬化剤は、合成樹脂からなる構成でもある。
更に、前記合成樹脂は、ポリエチレン樹脂またはＥＶＡ樹脂からなる構成である。
【発明の効果】
【００１２】
本発明は、上記詳述した通りの構成であるので、以下のような効果を奏する。
１．カラーインク層と定着層と反射層の三層をシルク印刷によって積層印刷する構成としたため、カラーインクと反射層が確実に傘生地に堅固に定着して振動や風雨によって剥離し難い任意の柄を自由に形成することが可能となる。
２．定着剤を、鉱油、乾性油、アルキド樹脂、ロジン樹脂および炭化水素樹脂を混成した溶剤としたため、カラーインク層を確実に定着することが可能となる。
【００１３】
３．カラーインク（顔料）を混合した定着層と反射層の二層をシルク印刷によって積層印刷する構成としたため、簡易な方法によってカラーインクと反射層を確実に傘生地に定着させて剥離し難い任意の柄を形成することが可能となる。
４．反射素材としてガラスビーズを用いたため、適度な反射を得られるとともに、剥離し難いデザイン性に優れた反射層を形成することが可能となる。
【００１４】
５．硬化剤として合成樹脂を用いたため、定着層を堅固に固めて確実に傘生地に定着させることが可能となる。
６．合成樹脂として、ポリエチレン樹脂またはＥＶＡ樹脂を用いたため、より強固な定着層を構成することが可能となる。
【発明を実施するための最良の形態】
【００１５】
以下、本発明に係る反射傘を、図面に示す実施例に基づいて詳細に説明する。
図１は、本発明に係る反射傘の斜視図であり、図２は、反射傘の平面図である。図３は、三層に積層した印刷層の断面図であり、図４は、二層に積層した印刷層の断面図である。
【００１６】
本発明に係る反射傘１は、図１に示すように、傘本体に固定設置された傘生地１０に複数層からなる印刷層１００を積層印刷することにより、印刷された反射素材が傘生地から剥離することを防止したデザイン性に富んだ反射傘である。本実施例では、反射傘１は、傘生地１０と、親骨２０（リブ）と、受骨３０（ストレッチャー）と、中棒４０（シャフト）と、手元５０（ハンドル）と、石突き６０（トップ）と、からなる。傘本体の構造は特に限定するものではなく、折り畳み構造からなる傘本体に複数層からなる印刷層１００が印刷された傘生地を固定設置する構成とする事ももちろん可能である。
【００１７】
傘生地１０は、傘本体に固定設置される防水素材で構成される部材であり、本実施例では、塩化ビニルまたはポリエステルからなる。図２に示すように、該傘生地１０に印刷層１００を、色彩によるデザインを積層して施すように表面に印刷して形成するものである。
【００１８】
印刷層１００は、本実施例では、図３に示すように、カラーインク層１１０と、定着層１２０ａと、反射層１３０とで構成される。印刷層１００は、例えば図２に示すように、図柄を描くように部分的に印刷しても良いし、傘生地１０全体に満遍なく印刷しても良い。
【００１９】
カラーインク層１１０は、任意の色彩からなるインク（顔料）からなり、単一または複数の色彩の組み合わせからなるインク（顔料）が傘生地１０の表面上に印刷される構成である。
【００２０】
定着層１２０ａは、カラーインク層１１０を剥離不能となるように傘生地１０に定着させて効果を確実に維持するための層である。定着層１２０ａは、本実施例では、硬化剤１２２または定着剤１２４ａのいずれかを定着層１２０ａとしてカラーインク層１１０の上に積層印刷するか、または硬化剤１２２および定着剤１２４ａを混合したものを定着層１２０ａとしてカラーインク層１１０の上に積層印刷する構成である。
【００２１】
これにより、防水効果のある塩化ビニルやポリエステル素材のようなインク層を定着させることが困難な素材であって、かつ、カラーインクを印刷した後に傘の開閉や摩擦さらには風雨によってインクが剥離しやすい自然状況であっても、カラーインク層１１０が剥離することなく確実に傘生地１０に定着させることが可能となる。
【００２２】
反射層１３０は、光を反射するための反射素材１３２を混合した塗料からなる層であり、定着層１２０ａの上に更に積層印刷される。定着層１２０ａは、傘生地１０の表面上にカラーインク層１１０を定着した状態に保つための部材であり、この層を基礎として反射層１３０が積層印刷される事となるため、反射層１３０も剥離し難い状態を維持することが期待できる。
【００２３】
本実施例では、カラーインク層１１０と定着層１２０ａと反射層１３０の三層で構成される印刷層１００は、シルク印刷によって傘生地１０上に積層印刷される構成である。これにより、傘生地１０の表面上に三層からなる印刷層１００が形成されることとなる。この構成とすることにより、カラーインク層１１０と反射層１３０が確実に傘生地１０に定着して、剥離し難い任意の柄を形成した反射傘１を構成することが可能となった。
【００２４】
反射層１３０が剥離することを防止するために、更に、カラーインク層１１０と定着層１２０ａとの間に反射層１３０を積層する構成とする事も考えられる。この積層構造にすることにより、反射層１３０の剥離をより強く防止することが可能となる。なお、カラーインク層１１０と反射層１３０が隣接することにより色彩のにじみ等が発生する可能性が考えられるため、定着層１２０ａをカラーインク層１１０と反射層１３０の間にも積層する構成とすることも可能であり、十分なメリットが期待できる構成でもある。
【００２５】
定着層１２０ａの定着剤１２４ａは、本実施例では、鉱油、乾性油、アルキド樹脂、ロジン樹脂および炭化水素樹脂を混成した溶剤からなる構成としている。この構成とすることにより、塩化ビニルやポリエステル素材といったインクを定着させることが困難であって、カラーインクを印刷した後に傘の開閉や摩擦によってインクが剥離しやすい素材であっても、カラーインク層１１０を確実に定着することが可能となった。
【００２６】
本発明に係る反射傘１の別の実施例として、反射傘１の印刷層１００は、図４に示すように、定着層１２０ｂと、反射層１３０とで構成することが可能である。印刷層１００は、図２に示すように、図柄を描くように印刷しても良いし、傘生地１０全体に満遍なく印刷しても良い。
【００２７】
定着層１２０ｂは、カラーインク（顔料）を含んでおり、傘生地１０から剥離不能となるように定着する層である。定着層１２０ｂは、本実施例では、硬化剤１２２または定着剤１２４ｂのいずれかを定着層１２０ｂとして傘生地１０の上に印刷するか、または硬化剤１２２および定着剤１２４ｂを混合したものを定着層１２０ｂとして傘生地１０の上に印刷する構成である。
【００２８】
これにより、塩化ビニルやポリエステル素材といったインクを定着させることが困難な素材であっても、カラーインク（顔料）を含有する定着層１２０ｂを確実に傘生地１０に定着することが可能となる。
【００２９】
反射層１３０は、光を反射するための反射素材１３２を混合した塗料からなる層であり、定着層１２０ｂの上に更に積層印刷される。定着層１２０ｂは、傘生地１０上に定着した状態であり、この層を基礎として反射層１３０が積層印刷される事となるため、反射層１３０も剥離し難い状態を維持することが期待できる。
【００３０】
定着層１２０ｂの定着剤１２４ｂは、本実施例では、任意の色彩からなるカラーインク（顔料）、鉱油、乾性油、アルキド樹脂、ロジン樹脂および炭化水素樹脂を混成した溶剤からなる構成としている。この構成とすることにより、塩化ビニルやポリエステル素材といったインクを定着させることが困難であって、傘の開閉や摩擦によってインクが剥離しやすい素材であっても、カラーインク（顔料）を含有する定着層１２０ｂを確実に傘生地１０上に定着することが可能となった。
【００３１】
なお、定着剤１２４ｂに含まれるカラーインク（顔料）は、任意の色彩からなり、単一または複数の色彩の組み合わせからなるインク（顔料）が定着剤１２４ｂに混成される構成である。
【００３２】
本実施例では、カラーインク（顔料）を包含する定着層１２０ｂと反射層１３０の二層で構成される印刷層１００は、シルク印刷によって傘生地１０上に積層印刷される構成である。これにより、傘生地１０上に二層からなる印刷層１００が形成されることとなる。この構成とすることにより、簡易な方法によってカラーインクと反射層が確実に傘生地１０に定着して、剥離し難い任意の柄を形成することが可能となった。
【００３３】
反射素材１３２は、本実施例では、ガラスビーズからなる構成となっている。この構成とすることにより、夜間など反射傘１に光が照射された際に、適度な光の反射が得られるとともに、剥離し難いデザイン性に優れた反射層１３０を有する反射傘１を構成することが可能となった。なお、反射素材１３２は、ガラスビーズに限られず、光反射効果を有する素材であれば、適宜選択して使用することが可能である。
【００３４】
硬化剤１２２は、合成樹脂からなる構成となっている。この構成とすることにより、定着層１２０ａ・１２０ｂを堅固に固めることが可能となり、確実に傘生地１０に定着させることが可能となった。
【００３５】
また、合成樹脂は、本実施例では、ポリエチレン樹脂またはＥＶＡ樹脂からなる構成である。この構成とすることにより、より強固な定着層１２０ａ・１２０ｂを構成することが可能となった。なお、合成樹脂は、ポリエチレン樹脂またはＥＶＡ樹脂に限定されることはなく、固まった際に柔軟性を有する樹脂であれば、適宜選択して使用することが可能である。
【図面の簡単な説明】
【００３６】
【図１】本発明に係る反射傘の斜視図
【図２】反射傘の平面図
【図３】三層に積層した印刷層の断面図
【図４】二層に積層した印刷層の断面図
【符号の説明】
【００３７】
１    反射傘
１０    傘生地
２０    親骨
３０    受骨
４０    中棒
５０    手元
６０    石突き
１００    印刷層
１１０    カラーインク層
１２０ａ    定着層
１２０ｂ    定着層
１２２    硬化剤
１２４ａ    定着剤
１２４ｂ    定着剤
１３０    反射層
１３２    反射素材
【図１】
2018061717.tif 000003
【図２】
2018061717.tif 000004
【図３】
2018061717.tif 000005
【図４】
2018061717.tif 000006